(57)【要約】【課題】  刷版を見当調整するに当たっての操作性を向上させるとともに見当調整に要する時間を短縮する。【解決手段】  版胴１の軸線方向への移動が規制された万力台の延設部１１ｃにボルト保持部材４０が取り付けられている。このボルト保持部材４０に回転自在に支持されたボルト２６Ａは版胴１の半径方向を指向している。ボルト２６に螺合したピン２７の軸部２７ａに支持された第１および第２のカムフォロア２８，２９は、延設部１１ｂ，１１ｃの傾斜溝３０と第２の案内溝３１に係入されている。傾斜溝３０は矢印Ｅ−Ｆ方向に対して傾斜している。【選択図】  図３
2007112037.tif 000002
【特許請求の範囲】
【請求項１】
版をくわえる版万力を版胴の軸線方向に複数に分割し、少なくとも両端部側の版万力を版胴の軸線方向に移動自在に支持した印刷機の版万力装置において、
軸線方向が版胴の半径方向を指向するボルトと、
このボルトに螺合するピンと、
このピンに取り付けられ前記ボルトの回転により前記版胴の半径方向に移動する第１の係合部材とを備え、
前記両端部側の版万力に、前記ピンの移動方向に対して傾斜し前記第１の係合部材と係合する係合溝を設けたことを特徴とする印刷機の版万力装置。
【請求項２】
請求項１記載の印刷機の版万力装置において、
前記ボルトの軸線方向に前記ピンを案内する第１の案内部を備えたことを特徴とする印刷機の版万力装置。
【請求項３】
請求項１記載の印刷機の版万力装置において、
前記ピンに取り付けた第２の係合部材を備え、
前記両端部側の版万力と隣接する版万力に、前記ピンの移動方向と同一方向に延在し前記第２の係合部材を案内する第２の案内部を設けたことを特徴とする印刷機の版万力装置。
【発明の詳細な説明】
【技術分野】
【０００１】
本発明は、刷版の両端部をくわえて刷版を版胴に装着するために使用される印刷機の版万力装置に関するものである。
【背景技術】
【０００２】
この種の印刷機においては、圧胴の爪にくわえられた紙が含有する水分や紙固有の表面の不均一性に起因して、圧胴による加圧により、紙の尻側の幅がくわえ側の幅よりも扇形に拡がるか縮む現象、いわゆるファン・アウトが発生する。このファン・アウトが発生すると、多色刷りにおいては見当が合いにくくなる。したがって、このようなファン・アウトによる影響を解消するために、版胴の尻側版万力を版胴の軸線方向に移動調節できる構造とし、尻側版万力にくわえた刷版の尻側端部の幅をファン・アウトに対応させて拡げるかまたは縮めるように調整している。
【０００３】
従来の印刷機の版万力装置は、尻側版万力の万力台が胴の軸線方向に３分割され、これら万力台が連結金具によって連結されており、連結金具のピン孔にスパナを挿入して回転操作することにより万力台が版胴の軸線方向へ移動し微調整できるものがある（例えば、特許文献１参照）。
【特許文献１】特開２０００−６３７３号公報（段落「００１２」および「００１９」、図１および図２）
【発明の開示】
【発明が解決しようとする課題】
【０００４】
上述した従来の印刷機の版万力装置においては、連結金具の周面に設けた複数のピン孔にスパナを挿入し、スパナが挿入された連結金具を版胴の軸線周りに回転させる構造としている。このため、連結金具をある角度だけ回動させるとスパナが版胴の切欠きの壁面に当ってしまう。したがって、連結金具を所定数回転させるにはスパナをピン孔から抜き差しして行う必要があるため、連結金具の回転操作を連続して行うことができず、操作性が悪く見当調整に時間がかかるという問題があった。また、連結金具の回転をねじ作用により万力台の移動に変換させる構造であるため、連結金具を回転させるためのトルクが、常に一定の力となって万力台を移動させる力に変換される。このため、万力台を移動させる力を最も必要とする版尻を拡げる方向、または縮める方向への見当調整を行うとき、連結金具を回転させるために大きなトルクを必要とするので操作性が悪いという問題もあった。
【０００５】
本発明は上記した従来の問題に鑑みなされたものであり、その目的とするところは、刷版を見当調整するに当たっての操作性を向上させるとともに見当調整に要する時間を短縮することにある。
【課題を解決するための手段】
【０００６】
この目的を達成するために、請求項１に係る発明は、版をくわえる版万力を版胴の軸線方向に複数に分割し、少なくとも両端部側の版万力を版胴の軸線方向に移動自在に支持した印刷機の版万力装置において、軸線方向が版胴の半径方向を指向するボルトと、このボルトに螺合するピンと、このピンに取り付けられ前記ボルトの回転により前記版胴の半径方向に移動する第１の係合部材とを備え、前記両端部側の版万力に、前記ピンの移動方向に対して傾斜し前記第１の係合部材と係合する係合溝を設けたものである。
【０００７】
請求項２に係る発明は、請求項１に係る発明において、前記ボルトの軸線方向に前記ピンを案内する第１の案内部を備えたものである。
【０００８】
請求項３に係る発明は、請求項１に係る発明において、前記ピンに取り付けた第２の係合部材を備え、前記両端部側の版万力と隣接する版万力に、前記ピンの移動方向と同一方向に延在し前記第２の係合部材を案内する第２の案内部を設けたものである。
【発明の効果】
【０００９】
請求項１に係る発明によれば、見当調整を行うためのボルトの軸線方向が版胴の半径方向を指向していることにより、ボルトを回転操作する作業を版胴の外径方向から行うことができるから作業が容易で、かつ連続して行うことができるから操作性が向上する。また、版万力を版胴の軸線方向へ移動させるために係合溝の傾斜面により行っているため、ボルトを回転させるためのトルクを低減させることができるから操作性が向上し調整時間も短縮することができる。
【００１０】
請求項２に係る発明によれば、第１の案内部によってピンが版胴の半径方向に確実かつ円滑に移動するため、ピンと一体的に移動する第１の係合部材を介して両端部側の版万力を版胴の軸線方向に円滑に移動させることができるから見当調整が容易になる。
【００１１】
請求項３に係る発明によれば、第２の案内部によって第２の係合部材が版胴の半径方向に確実かつ円滑に移動するため、第２の係合部材と一体的に移動する第１の係合部材を介して両端部側の版万力を版胴の軸線方向に円滑に移動させることができるから見当調整が容易になる。
【発明を実施するための最良の形態】
【００１２】
以下、本発明の実施の形態を図に基づいて説明する。図１は本発明に係る印刷機の版万力装置が実施された版胴の左側半分を示す平面図、図２は図１におけるII-II 線断面図、図３は図１におけるIII-III 線断面図、図４は図３におけるIV矢視図、図５は図３におけるV-V 線断面図、図６は図３におけるVI-VI 線断面図、図７は図３におけるVII-VII 線断面図、図８は同じくボルト保持部材を示し、同図（Ａ）は図３におけるIV方向から視た斜視図、同図（Ｂ）は反対側から見た斜視図である。
【００１３】
図１および図２において、全体を符号１で示す版胴の外周部には、断面が略長方形状を呈し底面２ａを段部状に形成した切欠き２が、胴の略全長にわたって設けられており、この切欠き２の両端開口は、円板状のベアラ３，３で閉塞されている。５は版胴１の軸線方向の全体にわたって設けられたくわえ側版万力であって、断面が略正方形状に形成され版胴１の軸線方向に延在する万力台６と、四つに分割されたくわえ板７とによって構成されている。この万力台６は、図示しない調節装置により切欠き２の底面に沿って版胴１の円周方向へ移動調節できるように構成されている。
【００１４】
四つに分割されたくわえ板７は平面視矩形状を呈し全長が万力台６と略同長に形成されており、各くわえ板７は、支持ブロック８に設けられた水平方向に突出するピン８ａによって揺動自在に支持されている。各くわえ板７は、カム軸９を駆動装置によって回動することにより、カム軸９のカム部の作用で、各くわえ板７が揺動して万力台６のくわえ面６ａに対してくわえ板７のくわえ面７ａが開閉するように構成されている。
【００１５】
次に、図１および図２を用いて、三つに分割された尻側版万力１０Ａないし１０Ｃについて説明する。これら尻側版万力１０Ａないし１０Ｃのうち、中央の尻側版万力１０Ｂは版胴１に対して版胴１の軸線方向（矢印Ａ−Ｂ方向）の移動が規制された状態で設けられ、左右の尻側版万力１０Ａ，１０Ｃは、版胴１の軸線方向（矢印Ａ−Ｂ方向）に移動自在に設けられている。したがって、上記以外の構造はいずれも左右対称であって同一の構造を有しているので、ここでは尻側版万力１０Ａについてのみ説明し、必要に応じて他の尻側版万力１０Ｂ，１０Ｃについても説明する。
【００１６】
図１および図２において、尻側版万力１０Ａはくわえ側版万力５と平行に切欠き２内に設けられており、断面が略長方形状に形成され版胴１の軸線方向に延在する万力台１１Ａと、くわえ板１２Ａとによって構成されている。また、この尻側版万力１０Ａは、くわえ板１２Ａと矢印Ａ−Ｂ方向に略同じ長さに形成され切欠き２の底面２ａに固定された固定部材としてのばね受けバー１３Ａを備えている。
【００１７】
上記した万力台１１Ａとくわえ板１２Ａとは、版胴１の半径方向に延在するくわえ面１１ａ，１２ａを互いに対向させて、これらくわえ面１１ａ，１２ａが離間・接近するように、支持軸１４を揺動支点として連結されている。また、万力台１１Ａとくわえ板１２Ａとは切欠き２の円周方向（矢印Ｃ−Ｄ方向）へわずかに移動調整できるように構成されている。切欠き２の壁面２ｂに形成された凹部２ｃ内には、平面状に形成された小径部１５ａと円弧状に形成された大径部１５ｂとで棒状に形成されたカム軸１５が版胴１に回動自在に支持されている。１６は尻側版万力１０の脱落を規制するガイド部材であって、切欠き２の壁面２ａの凹部２ｃに固定されている。
【００１８】
図２において、１８はばね受けバー１３のばね孔内に摺動自在に設けられ、ナットによって移動端限が規制されたばね軸である。このばね軸１８の鍔部とばね孔の底面との間には、くわえ板１２Ａをばね受けバー１３から離間させる方向に付勢する圧縮コイルばね１９が弾装されている。２０は万力台１１Ａのばね孔内の底面とくわえ板１２Ａとの間に弾装された圧縮コイルばねであって、万力台１１Ａをくわえ板１２Ａから離間させる方向に付勢している。２１は万力台１１Ａの下部側に設けられたばね孔とばね受けバー１３の下部側に設けられたばね孔との間に弾装された圧縮コイルばねであって、カム軸１５の大径部１５ｂを支点として尻側版万力１０Ａを版張り方向（矢印Ｃ方向）に付勢している。
【００１９】
次に、このような構成の印刷機の版万力装置において、刷版を版胴１の周面に装着する動作について説明する。図２において、くわえ側版万力５の万力台６およびくわえ板７の各くわえ面６ａ，７ａとの間に刷版のくわえ側端部を挿入し、図示を省略した駆動装置によってカム軸９を回動させることにより、万力台６のくわえ面６ａに対してくわえ板７のくわえ面７ａを閉じ刷版のくわえ側端部をくわえる。次いで、版胴１を略１回転させ、刷版の尻側端部を尻側版万力１０Ａないし１０Ｃの万力台１１Ａないし１１Ｃおよびくわえ板１２Ａないし１２Ｃのそれぞれのくわえ面１１ａ，１２ａとの間に刷版の尻側端部を挿入する。
【００２０】
図示を省略した駆動装置によってカム軸１５を回動させることにより、大径部１５ｂによって圧縮コイルばね２０の弾発力に抗して万力台１１Ａを図中時計方向に回動させ、万力台１１Ａのくわえ面１１ａに対してくわえ板１２のくわえ面１２ａを閉じ版の尻側端部をくわえる。このとき、カム軸１５の大径部１５ｂに中央部が対接した万力台１１Ａは、大径部１５ｂを支点として、圧縮コイルばね２１の付勢力によって、版張り方向（矢印Ｃ方向）に付勢されるため、刷版は天地方向に引っ張られ緊張した状態で版胴１の周面に装着される。以上説明した刷版の装着ないし版万力装置については、従来から知られている印刷機の版万力装置と格別変わるところはない。
【００２１】
次に、図１および図３ないし図８を用いて、本発明の特徴である見当調整装置について説明する。中央の版万力１０Ｂと左右の版万力１０Ａ，１０Ｃとの間のそれぞれに見当調整装置２５Ａ，２５Ｂが備えられている。これら見当調整装置２５Ａ，２５Ｂは共に同じ構造を有しているので、ここでは、見当調整装置２５Ａについてのみ説明し、必要に応じて見当調整装置２５Ｂについても説明する。
【００２２】
見当調整装置２５Ａは、図３に示すように、見当調整のために操作するボルト２６Ａと、このボルト２６Ａに螺合するピン２７と、このピン２７に取り付けられる第１および第２の係合部材としてリング状に形成された第１および第２のカムフォロア２８，２９と、これら第１および第２のカムフォロア２８，２９が係入される係合溝としての傾斜溝３０と第２の案内溝３１とがそれぞれ設けられる万力台１１Ａ，１１Ｂの延設部１１ｂ，１１ｃとから概ね構成されている。
【００２３】
左側の万力台１１Ａの右端部には、図１に示すように矢印Ｂ方向に延設された延設部１１ｂが形成され、中央の万力台１１Ｂの左端部には矢印Ａ方向に延設された延設部１１ｃが形成されており、これら延設部１１ｂ，１１ｃとは、平面視において周方向に互いに重なるよう設けられている。万力台１１Ａの延設部１１ｂに設けられた傾斜溝３０は、図７に示すように版胴１の半径方向（矢印Ｅ−Ｆ方向）に対して、矢印Ｅ方向に向かって矢印Ａ方向に傾斜するように形成されている。３０ａは傾斜溝３０の一部を閉塞するように設けられた抜け止め片であって、傾斜溝３０の上端縁から一体に突設されている。３３は延設部１１ｂに植設された小軸である。
【００２４】
万力台１１Ｂの延設部１１ｃに設けられた第２の案内溝３１は、図６に示すように版胴１の半径方向（矢印Ｅ−Ｆ方向）に延在するように設けられている。３４は小軸３３が係入される長孔であって、版胴１の軸線方向（矢印Ａ−Ｂ方向）に延在するように設けられている。３５は後述するボルト保持部材４０をボルト４５によって延設部１１ｃに取り付けるためのねじ孔である。
【００２５】
ボルト保持部材４０は、図８に示すように、偏平な直方体に形成されており、背面側の中央部に上下に延在する凹溝状に形成された第１の案内溝４１が設けられ、この第１の案内溝４１の上面４１ａと底面４１ｂとの間隔Ｌは、ボルト２６Ａの全長よりもわずかに大きく形成されている。第１の案内溝４１の幅Ｗは、ピン２７の幅よりもわずかに大きく形成されている。このボルト保持部材４０の上部の中央部には、レンチ等の工具を差し入れるために第１の案内溝４１に連通する挿入孔４２が設けられている。また、ボルト保持部材４０の４隅には、ボルト保持部材４０を貫通する４個の挿通孔４３が設けられており、これら挿通孔４３の一端側はざくり孔４３ａが形成されている。
【００２６】
ボルト２６Ａの頭部２６ａには、図５に示すようにレンチ等を係入できる六角穴２６ｂが設けられている。このボルト２６Ａに螺合しているピン２７は直方体に形成されており、端面に軸部２７ａが一体に突設され、この軸部２７ａに第１および第２のカムフォロア２８，２９が回転自在に支持されている。このボルト２６Ａは、上、下面がボルト保持部材４０の第１の案内溝４１の上面４１ａと底面４１ｂとに対接され、ピン２７が第１の案内溝４１に嵌合された状態で、ボルト保持部材４０内に組み付けられている。この状態で、ボルト２６Ａは、ボルト保持部材４０によって矢印Ｅ−Ｆ方向と矢印Ａ−Ｂ方向との移動が規制され、六角穴２６ｂがボルト保持部材４０の挿入孔４２に対向している。また、第１および第２のカムフォロア２８，２９を支持しているピン２７の軸部２７ａが第１の案内溝４１から突出している。
【００２７】
このようにボルト２６Ａが組み付けられたボルト保持部材４０は、図３に示すように第１の案内溝４１の開口側が中央の万力台１１Ｂの延設部１１ｃに対接され、挿通孔４３に挿通させねじ孔３５に螺合させた図５に示すボルト４５によって、延設部１１ｃに取り付けられている。この状態で、図３に示すようにボルト２６Ａは頭部２６ａがボルト保持部材４０の第１の案内溝４１の底部４１ｃと万力台１１Ｂの延設部１１ｃとに挟持され、矢印Ｃ−Ｄ方向の移動が規制される。
【００２８】
また、第１のカムフォロア２８が、図７に示すように左側の万力台１１Ａの延設部１１ｂに形成した傾斜溝３０に係入され、第２のカムフォロア２９が、図６に示すように中央の万力台１１Ｂの延設部１１ｃに形成した第２の案内溝３１に係入されている。また、ピン２７の軸部２７ａに支持された第１のカムフォロア２８が、延設部１１ｂの抜け止め片３０ａに対接され、この抜け止め片３０ａによって、第１および第２のカムフォロア２８，２９の軸部２７ａからの抜けが規制されている。
【００２９】
以上説明した見当調整装置２５Ａと見当調整装置２５Ｂとが異なる点は、見当調整装置２５Ａの傾斜溝３０が、図７に示すように、万力台１１Ａの延設部１１ｂに版胴１の半径方向（矢印Ｅ−Ｆ方向）に対して、矢印Ｅ方向に向かって矢印Ａ方向に傾斜するように形成されている。これに対して、万力台１１Ｃの延設部１１ｅに設けられた傾斜溝は、矢印Ｅ方向に向かって矢印Ｂ方向に傾斜するように形成されている点にある。
【００３０】
次に、このように構成された印刷機の版万力装置において、尻側版万力にくわえられた刷版の尻側端部の幅を拡げるかまたは縮める調整について説明する。先ず、拡げる調整について説明する。予め、上述したように、くわえ側版万力５によって刷版のくわえ側端部をくわえ、尻側版万力１０Ａないし１０Ｃによって刷版の尻側端部をくわえ、刷版を天地方向に引っ張った状態で版胴１の周面に装着する。次いで、見当調整装置２５Ａのボルト保持部材４０の挿入孔４２に差し入れたレンチの先端部をボルト２６Ａの六角穴２６ｂに係入し、ボルト２６Ａを一方方向に回転する。
【００３１】
このボルト２６Ａの回転により、第１の案内溝４１によって案内されるピン２７が図５中矢印Ｆ方向へ移動し、第２のカムフォロア２９が、図６に示すように第２の案内溝３１によって矢印Ｆ方向に案内される。したがって、第１のカムフォロア２８が、図７中矢印Ｆ方向へ一体的に移動するため、この第１のカムフォロア２８が係合し、矢印Ｆ方向に向かって矢印Ｂ方向に傾斜するように形成された傾斜溝３０の傾斜面によって、左側の万力台１１Ａが矢印Ａ方向にわずかに移動する。
【００３２】
同様に、見当調整装置２５Ｂのボルト２６Ｂを反時計方向に回転することにより、右側の万力台１１Ｃが矢印Ｂ方向にわずかに移動する。これら左側の万力台１１Ａの矢印Ａ方向への移動と、右側の万力台１１Ｃの矢印Ｂ方向への移動とによって、左右の版万力１０Ａ，１０Ｃにくわえられている刷版の尻側端部を刷版の幅方向に拡げる調整が行われる。
【００３３】
一方、尻側版万力にくわえられた刷版の尻側端部の幅を縮める調整を行う場合は、見当調整装置２５Ａのボルト２６Ａを図１において前述した一方方向と反対方向の他方向に回転する。このボルト２６Ａの回転により、第１の案内溝４１に案内されるピン２７が図５中矢印Ｅ方向へ移動し、第２のカムフォロア２９が、図６に示すように第２の案内溝３１によって矢印Ｅ方向に案内される。したがって、第１のカムフォロア２８が、図７中矢印Ｅ方向へ一体的に移動するため、この第１のカムフォロア２８が係合し、矢印Ｅ方向に向かって矢印Ａ方向に傾斜するように形成された傾斜溝３０の傾斜面によって、左側の万力台１１Ａが矢印Ｂ方向にわずかに移動する。
【００３４】
同様に、見当調整装置２５Ｂのボルト２６Ｂを時計方向に回転することにより、右側の万力台１１Ｃが矢印Ａ方向にわずかに移動する。これら左側の万力台１１Ａの矢印Ｂ方向への移動と、右側の万力台１１Ｃの矢印Ａ方向への移動とによって、左右の版万力１０Ａ，１０Ｃにくわえられている刷版の尻側端部を刷版の幅方向に縮める調整が行われる。
【００３５】
これらの見当調整は、ボルト２６Ａ，２６Ｂの軸線方向が版胴１の半径方向を指向していることにより、ボルト２６Ａ，２６Ｂを回転操作する作業を版胴１の外径方向から行うことができるから作業が容易で、かつ連続して行うことができるから操作性が向上する。また、両端部側の版万力１０Ａ，１０Ｃを版胴１の軸線方向へ移動させるために、傾斜溝３０の傾斜面により行うようにしたため、ボルト２６Ａ，２６Ｂを回転させるためのトルクを低減させることができるから操作性が向上し調整時間も短縮することができる。
【００３６】
また、ピン２７を案内する第１の案内溝４１を設けたことにより、ピン２７が版胴１の半径方向に確実かつ円滑に移動する。このため、ピン２７と一体的に移動する第１のカムフォロア２８を介して、両端部側の版万力１０Ａ，１０Ｃを版胴１の軸線方向に円滑に移動させることができるから見当調整が容易になる。また、第２のカムフォロア２９を案内する第２の案内溝３１を設けたことにより、第２のカムフォロア２９が版胴１の半径方向に確実かつ円滑に移動する。このため、第２のカムフォロア２９と一体的に移動する第１のカムフォロア２８を介して両端部側の版万力１０Ａ，１０Ｃを版胴１の軸線方向に円滑に移動させることができるから見当調整が容易になる。
【００３７】
なお、本実施の形態においては、尻側版万力を三つに分割した例を説明したが、四つ以上に分割した尻側版万力にも適用でき、その場合は少なくとも両端部側の版万力を版胴の軸線方向に移動自在に支持するようにすればよい。また、ピン２７を版胴１の半径方向に確実かつ円滑に移動させるために、ピン２７を案内する第１の案内溝４１を設けたり、第２のカムフォロア２９を版胴１の半径方向に確実かつ円滑に移動させるために、第２のカムフォロア２９を案内する第２の案内溝３１を設けたが、ボルト保持部材４０によってボルト２６Ａを回転自在に保持するとともに水平方向と鉛直方向の移動を規制するような構造にすれば、第１および第２の案内溝４１，３１は必ずしも必要としない。
【図面の簡単な説明】
【００３８】
【図１】本発明に係る印刷機の版万力装置が実施された版胴の左側半分を示す平面図である。
【図２】図１におけるII-II 線断面図である。
【図３】図１におけるIII-III 線断面図である。
【図４】図３におけるIV矢視図である。
【図５】図３におけるV-V 線断面図である。
【図６】図３におけるVI-VI 線断面図である。
【図７】図３におけるVII-VII 線断面図である。
【図８】本発明に係る印刷機の版万力装置におけるボルト保持部材を示し、同図（Ａ）は図３におけるIV方向から視た斜視図、同図（Ｂ）は反対側から見た斜視図である。
【符号の説明】
【００３９】
１…版胴、５…くわえ側版万力、１０Ａないし１０Ｃ…尻側版万力、１１Ａないし１１Ｃ…万力台、１２Ａないし１２Ｃ…くわえ板、２５Ａ，２５Ｂ…見当調整装置、２６Ａ，２６Ｂ…ボルト、２７…ピン、２７ａ…軸部、２８…第１のカムフォロア（第１の係合部材）、２９…第２のカムフォロア（第２の係合部材）、３０…傾斜溝（係合溝）、３１…第２の案内溝、４１…第１の案内溝。
【図１】
2007112037.tif 000003
【図２】
2007112037.tif 000004
【図３】
2007112037.tif 000005
【図４】
2007112037.tif 000006
【図５】
2007112037.tif 000007
【図６】
2007112037.tif 000008
【図７】
2007112037.tif 000009
【図８】
2007112037.tif 000010